(57)【特許請求の範囲】
【請求項１】
音響減衰共鳴器システム（１４）を備えたタービンエンジン（１０）であって、
圧縮機の下流に位置し、燃焼器バスケット（２２）を画定する少なくとも１つのアウタハウジング（１８）と、該少なくとも１つのアウタハウジング（１８）に取り付けられた少なくとも１つの上流壁（２６）とによって形成されたガスタービンエンジン燃焼器（１２）であって、該ガスタービンエンジン燃焼器（１２）には、燃料ノズルアッセンブリ（３２）の少なくとも１つの燃料ノズル（３０）が延在している、ガスタービンエンジン燃焼器（１２）と、
前記ガスタービンエンジン燃焼器（１２）内で前記少なくとも１つのアウタハウジング（１８）に配置されていて、前記燃焼器（１２）内で周方向に延在している少なくとも１つの共鳴器（１６）と、を有し、
前記少なくとも１つの共鳴器（１６）は、前記燃料ノズルアッセンブリ（３２）の少なくとも１つの外壁（３４）の半径方向外側に位置しており、
前記少なくとも１つの共鳴器（１６）は、前記少なくとも１つの上流壁（２６）に接触しており、
前記少なくとも１つの共鳴器（１６）と、前記ガスタービンエンジン燃焼器（１２）との間に延在している共鳴器ネック（４２）をさらに備え、
前記共鳴器ネック（４２）は、前記少なくとも１つの共鳴器（１６）に、かつ前記少なくとも１つの上流壁（２６）と、前記燃焼器バスケット（２２）を画定する前記少なくとも１つのアウタハウジング（１８）との交点（２４）に、接触していることを特徴とする、音響減衰共鳴器システム（１４）を備えたタービンエンジン（１０）。
【請求項２】
前記少なくとも１つの共鳴器（１６）は曲げられている、請求項１記載の音響減衰共鳴器システム（１４）を備えたタービンエンジン（１０）。
【請求項３】
前記少なくとも１つの共鳴器（１６）は、前記燃焼器バスケット（２２）の前記少なくとも１つのアウタハウジング（１８）と、前記少なくとも１つの上流壁（２６）とに取り付けられている、請求項１記載の音響減衰共鳴器システム（１４）を備えたタービンエンジン（１０）。
【請求項４】
前記少なくとも１つの共鳴器（１６）は、前記ガスタービンエンジン燃焼器（１２）の長手方向軸線（４０）を通って延在していて、かつ前記ガスタービンエンジン燃焼器（１２）の前記長手方向軸線（４０）に対して垂直に位置する軸線（３８）を中心として曲げられている、請求項１記載の音響減衰共鳴器システム（１４）を備えたタービンエンジン（１０）。
【請求項５】
前記少なくとも１つの共鳴器（１６）は、前記燃焼器バスケット（２２）を画定する前記少なくとも１つのアウタハウジング（１８）と、前記少なくとも１つの上流壁（２６）との間に直線状に延在している、請求項１記載の音響減衰共鳴器システム（１４）を備えたタービンエンジン（１０）。
【請求項６】
前記少なくとも１つの共鳴器（１６）は、前記少なくとも１つの上流壁（２６）に位置している、請求項１記載の音響減衰共鳴器システム（１４）を備えたタービンエンジン（１０）。
【請求項７】
前記少なくとも１つの共鳴器（１６）は、前記燃焼器バスケット（２２）を画定する前記少なくとも１つのアウタハウジング（１８）に接触している、請求項１記載の音響減衰共鳴器システム（１４）を備えたタービンエンジン（１０）。
【請求項８】
前記少なくとも１つの共鳴器（１６）は、前記少なくとも１つの上流壁（２６）と、前記燃焼器バスケット（２２）を画定する前記少なくとも１つのアウタハウジング（１８）との前記交点（２４）に位置している、請求項１記載の音響減衰共鳴器システム（１４）を備えたタービンエンジン（１０）。
【発明の詳細な説明】
【技術分野】
【０００１】
本発明は、概してガスタービンエンジンに関し、特に、ガスタービンエンジンの燃焼器バスケットにおける縦モード動態（longitudinal mode dynamics）を減衰するための音響減衰システムに関する。
【０００２】
背景技術
ガスタービンエンジンは典型的には、圧縮機の下流かつタービンアッセンブリの上流に位置する複数の燃焼器バスケットを有している。運転中、図１〜図３に示されたように、燃焼器バスケット内ではしばしば縦モード動態が生じる。縦モード動態は通常、燃焼器バスケットの空気流路入口で発生し、下流に向かってタービン入口にまで伝わる。このような動態により、新たなガスタービンにますます求められる低エミッション運転を行うためのガスタービンエンジンの調整柔軟性は制限されてしまう。
【０００３】
発明の概要
以下に、上記問題を解決し、ここに実施態様を示し広く説明する本発明の目的に応じて利益と利点を提供する発明の簡単な概要を記載する。本発明は、音響減衰共鳴器システムを備えたガスタービンエンジン燃焼器を有する音響的に減衰されるガスタービンエンジンを対象としている。音響減衰共鳴器システムは、１つ又は複数の共鳴器により形成されていて良く、この共鳴器は、ガスタービンエンジン燃焼器内でアウタハウジングに配置されていて、燃焼器内で周方向に延在している。共鳴器は、燃焼器バスケットのヘッド領域に配置されていて良い。一実施態様では、共鳴器は、アウタハウジングと、燃焼器の少なくとも一部を形成する上流壁との間の交点の近位に配置されていて良い。音響減衰共鳴器システムは縦モード動態を弱めることができ、これにより、エンジン動作範囲が増大し、エミッションが減じられる。
【０００４】
音響減衰共鳴器システムを備えたタービンエンジンは、圧縮機の下流に位置していて、燃焼器バスケットを画定する１つ以上のアウタハウジングと、このアウタハウジングに取り付けられている少なくとも１つの上流壁とによって形成されるガスタービンエンジン燃焼器を含んでいて良い。燃料ノズルアッセンブリの１つ以上の燃料ノズルが燃焼器内に延在していて良い。共鳴器は、ガスタービンエンジン燃焼器内でアウタハウジングに配置されていて良く、燃焼器内で周方向に延在していて良い。共鳴器は、燃料ノズルアッセンブリの少なくとも１つの外壁の半径方向外側に位置していても良く、上流壁に接触していて良い。
【０００５】
１つの実施態様では、共鳴器は、上流壁と、燃焼器バスケットを画定するアウタハウジングとに接触していて良い。別の実施態様では共鳴器は、燃焼器バスケットのアウタハウジングと、上流壁とに取り付けられていて良い。共鳴器は上流壁に位置していても良く、燃焼器内で周方向に延在していて良い。共鳴器は、上流壁と、燃焼器バスケットを画定するアウタハウジングとの交点に配置されていても良い。別の実施態様では、共鳴器は、燃料ノズルアッセンブリの少なくとも１つの外壁の半径方向外側に位置して良い。
【０００６】
１つ又は複数の共鳴器ネックが、共鳴器とガスタービンエンジン燃焼器との間に延在していて良い。共鳴器ネックは、共鳴器に、かつ上流壁と、燃焼器バスケットを画定するアウタハウジングとの交点に、接触していて良い。
【０００７】
共鳴器は複数の異なる構造を有していて良い。共鳴器は、部分的にのみ燃焼器の周りに周方向で延在していて良い。燃料ノズルアッセンブリの周りに半径方向で位置する２つ以上の共鳴器が設けられていても良い。少なくとも１つの実施態様では、共鳴器は曲げられていて良い。特に、共鳴器は、ガスタービンエンジン燃焼器の長手方向軸線を通って延在し、かつガスタービンエンジン燃焼器の長手方向軸線に対して垂直に位置していて良い軸線を中心として曲げられて良い。別の実施態様では、共鳴器は、燃焼器バスケットを画定するアウタハウジングと上流壁との間に直線状に延在していて良い。
【０００８】
使用中、音響減衰システムは、縦モード燃焼器動態を減衰することができ、これにより、ガスタービンエンジン動作範囲を増大させることができる。音響減衰システムは、ヘッド端部においてより一様の流れを形成することにより、かつ下流のより良好な混合を形成することにより、流れ調整器として機能することができる。
【０００９】
これらの及びその他の利点と目的とは、以下に記載する本発明の詳細な説明を参照する際に明らかとなろう。
【００１０】
本明細書に組み込まれ、明細書の一部を成す添付の図面は、本発明の実施態様を示しており、詳細な説明と共に、本発明の原理を開示している。
【図面の簡単な説明】
【００１１】
【図１】ガスタービンエンジンの従来の燃焼器バスケットを示す側方断面図である。
【図２】動圧と周波数に関して従来の縦モード動態を示したグラフである。
【図３】ガスタービンエンジンの燃焼器バスケットを示す側方断面図である。
【図４】図３の細部５における燃焼器バスケット内に位置する音響減衰システムの部分的な側方断面図である。
【図５】図４に示された燃焼器バスケットを形成するアウタハウジングに位置する共鳴器を示す側面図である。
【図６】燃焼器への入口近くにある燃焼器バスケットの半径方向外側壁に位置する共鳴器を示す部分的な断面図である。
【図７】燃焼器への入口近くにある燃焼器バスケットの半径方向外側壁に位置する別の共鳴器を示す部分的な断面図である。
【図８】燃焼器の入口周りの内面に位置する共鳴器を有する音響減衰システムのさらに別の実施態様を示す部分的な側方断面図である。
【００１２】
発明の詳細な説明
図３〜図８に示したように、本発明は、音響減衰共鳴器システム１４を備えたガスタービンエンジン燃焼器１２を有する音響的に減衰されるガスタービンエンジン１０を対象としている。音響減衰共鳴器システム１４は、１つ又は複数の共鳴器１６により形成されていて良く、この共鳴器１６は、ガスタービンエンジン燃焼器１２内でアウタハウジング１８に配置されていて、燃焼器１２内で周方向に延在している。共鳴器１６は、燃焼器バスケット２２のヘッド領域２０に配置されていて良い。一実施態様では、共鳴器１６は、アウタハウジング１８と、燃焼器１２の少なくとも一部を形成する上流壁２６との間の交点２４の近位に配置されていて良い。音響減衰共鳴器システム１４は縦モード動態を弱めることができ、これにより、エンジン動作範囲が増大し、エミッションが減じられる。
【００１３】
音響減衰共鳴器システム１４はガスタービンエンジン１０内に位置していて良い。ガスタービンエンジン１０は、燃焼器を有する任意のタービンエンジンであって良い。少なくとも１つの実施態様では、音響減衰共鳴器システム１４は、１つ又は複数の環状缶型燃焼器１２を備えたガスタービンエンジン１０内に位置していて良い。少なくとも１つの実施態様では、ガスタービンエンジン燃焼器１２は、圧縮機の下流に位置していて良い。圧縮機は任意の適切な構造を有していて良い。ガスタービンエンジン燃焼器１２は、燃焼器バスケット２２を画定する１つ以上のアウタハウジング１８と、このアウタハウジング１８に取り付けられて良い１つ以上の上流壁２６とによって形成されて良い。１つ以上の燃料ノズル３０が燃焼器１２内へと延在していて良い。燃料ノズル３０は、任意の適切な構造を有していて良い。
【００１４】
共鳴器１６は、ガスタービンエンジン燃焼器１２内でアウタハウジング１８に配置されていて良く、燃焼器１２内で周方向に延在していて良い。共鳴器１６は、燃料ノズルアッセンブリ３２の半径方向外側に位置していて良い。燃料ノズルアッセンブリ３２は、燃料ノズル３０の少なくとも一部を取り囲む外壁３４を含んでいて良い。外壁３４は、開放遠位端部３６を備えたほぼ円筒の形状を有していて良い。共鳴器１６は、外壁３４の半径方向外側に位置していて良い。共鳴器１６は、図８に示したように、外壁３４に関して側方に延在していても良い。
【００１５】
共鳴器１６は、ハウジングの外壁３４の半径方向外側に位置していて良く、上流壁２６に接触していて良い。別の実施態様では、共鳴器１６は、上流壁２６と、燃焼器バスケット２２のアウタハウジング１８の両方と接触していて良い。さらに別の実施態様では、共鳴器１６は、上流壁２６とアウタハウジング１８のどちらかに、又は両方に取り付けられていて良い。共鳴器１６は、燃焼器バスケット２２のアウタハウジング１８と上流壁２６とに取り付けられていて良い。
【００１６】
一実施態様では、図６〜図８に示したように、共鳴器１６は上流壁２６に位置していて良く、燃焼器１２内で周方向に延在していて良い。共鳴器１６は、上流壁２６と、燃焼器バスケット２２を画定するアウタハウジング１８とに接触していて良い。共鳴器１６は、上流壁２６と、燃焼器バスケット２２を画定するアウタハウジング１８との交点２４に配置されていて良い。共鳴器１６は、燃料ノズルアッセンブリ３２の少なくとも１つの外壁３４を形成する外壁３４の半径方向外側に位置していて良い。
【００１７】
図６に示したように、共鳴器１６は、ガスタービンエンジン燃焼器１２の長手方向軸線４０を中心として曲げられているのに加えてさらに曲げられていて良い。特に、共鳴器１６は、ガスタービンエンジン燃焼器１２の長手方向軸線４０に対して垂直に位置する軸線３８を中心として曲げられて良い。少なくとも１つの実施態様では、この軸線３８は、ガスタービンエンジン燃焼器１２の長手方向軸線４０を通って延在していても良い。上述した通り、共鳴器１６は、ガスタービンエンジン燃焼器１２の長手方向軸線４０を中心として曲げられていても良く、又は、長手方向軸線４０の周りで直線状に延在していても良い。１つ以上の共鳴器１６が、燃焼器１２の周りに周方向で位置していて良い。
【００１８】
さらに別の実施態様では、図７に示したように、共鳴器１６は、燃焼器バスケット２２を画定するアウタハウジング１８と上流壁２６との間に直線状に延在していて良い。この実施態様では、共鳴器１６は、ガスタービンエンジン燃焼器１２の長手方向軸線４０を中心として曲げられていても良く、又は、長手方向軸線４０の周りで直線状に延在していても良い。１つ以上の共鳴器１６が、燃焼器１２の周りに周方向で位置していて良い。
【００１９】
図６〜図８に示したように、音響減衰共鳴器システム１４は、共鳴器１６と、ガスタービンエンジン燃焼器１２との間に延在する共鳴器ネック４２を含んでいて良い。共鳴器ネック４２は、共鳴器１６に、かつ上流壁２６と、燃焼器バスケット２２を画定するアウタハウジング１８との交点２４に、接触していて良い。共鳴器ネック４２は任意の適切な構造を有していて良い。少なくとも１つの実施態様では、共鳴器ネック４２は、ほぼ円筒状であって良い。共鳴器ネック４２は、単一単体の部材であって良く、または、２つ以上の構成要素から形成されていて良い。共鳴器ネック４２は、共鳴器１６を燃焼器１２に、例えばアウタハウジング１８と上流壁２６のどちらかに、又は両方に連結することができる。選択的に、共鳴器ネック４２は、共鳴器１６に連結されて、かつ燃焼器１２に接触していて良い。図６及び図７に示したように、共鳴器ネック４２は、共鳴器１６を貫通して延在していて良く、共鳴器１６に穴を形成して良い。図８に示した共鳴器ネック４２は軸方向に延在していて良い。
【００２０】
使用中、音響減衰共鳴器システム１４は、縦モード燃焼動態を減衰することができ、これにより、タービンエンジン動作範囲を増大させることができる。音響減衰共鳴器システム１４は、燃焼器入口４４においてより一様の流れを形成することにより、かつ下流のより良好な混合プロフィールを形成することにより、流れ調整器として機能することができる。
【００２１】
上記記載は、本発明の実施態様を図示し、説明し、詳述するために呈示されている。これら実施態様の変化形及び応用形は、当業者に明らかであり、本発明又は以下の請求項の範囲及び概念から逸脱することなく形成されるだろう。
【図１】
0006444383.tif 000002
【図２】
0006444383.tif 000003
【図３】
0006444383.tif 000004
【図４】
0006444383.tif 000005
【図５】
0006444383.tif 000006
【図６】
0006444383.tif 000007
【図７】
0006444383.tif 000008
【図８】
0006444383.tif 000009